【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
患者の創傷部の周囲の皮膚に片手で付着され、当該創傷部に圧力を加えるように構成された装置であって、
底面部と、当該底面部に付着された一若しくはそれ以上の粘着性パッドとを有するフットプレートであって、当該粘着性パッドは、その粘着強度が前記創傷部に対して加えられる圧力よりも高くなるようなサイズに設定されており、当該フットプレートは、前記患者の創傷部の周囲の皮膚に片手で着脱自在に付着されるように構成されているものである、前記フットプレートと、
前記フットプレート上に配置された収容装置と、
前記収容装置の内部に配置されたプランジャーであって、前記片手の指が係合することにより前記収容装置内を前記創傷部に向かって移動し、前記圧力を前記創傷部に加えるように構成された、前記プランジャーと、
前記収容装置と前記プランジャーとの間に配置された複数の移動制限要素であって、前記収容装置の内部に形成された少なくとも一つの第一ラチェット要素と、前記プランジャー上の少なくとも一つの第二ラチェット要素とを有し、前記プランジャーが前記収容装置内を移動するとき、当該少なくとも一つの第二ラチェット要素が当該少なくとも一つの第一ラチェット要素と係合して、前記プランジャーが前記患者の皮膚から離れる方向に移動することを制限するものである、前記移動制限要素と、
を有する装置。
【請求項２】
前記フットプレートは安定化手段をさらに備えたことを特徴とする請求項１に記載の装置。
【請求項３】
前記安定化手段は前記フットプレートから離れる方向へ延設された少なくとも一つの湾曲突起部を備えたことを特徴とする請求項２に記載の装置。
【請求項４】
前記プランジャー上の前記少なくとも一つの第二ラチェット要素は、プランジャー中央部周辺に配設された複数のウィングの上に配置されたことを特徴とする請求項１に記載の装置。
【請求項５】
前記複数のウィングは、当該ウィングがプランジャー中央部に向けて移動されると、前記プランジャー上の前記少なくとも一つの第二ラチェット要素が前記収容装置の内部に形成された前記少なくとも一つの第一ラチェット要素から係合解除されるように構成されていることを特徴とする請求項４に記載の装置。
【請求項６】
前記複数の移動制限要素は、前記収容装置の内部に形成された複数のラックと、前記プランジャー上の複数のラックとを有し、前記プランジャーが前記収容装置内を移動するとき、前記プランジャーの上の少なくとも一つのラックが前記収容装置の内部に形成された少なくとも一つのラックと係合して、前記プランジャーが前記患者の皮膚から離れる方向に移動することを制限することを特徴とする請求項１に記載の装置。
【請求項７】
前記プランジャーは患者の皮膚を圧迫する圧迫パッドをさらに備えたことを特徴とする請求項１に記載の装置。
【請求項８】
患者の創傷部の周囲の皮膚に片手で付着され、当該創傷部に圧力を加えるように構成された装置であって、
底面部と、当該底面部に付着された一若しくはそれ以上の粘着性パッドとを有するフットプレートであって、当該粘着性パッドは、その粘着強度が前記創傷部に対して加えられる圧力よりも高くなるようなサイズに設定されており、当該フットプレートは、前記患者の創傷部の周囲の皮膚に着脱自在に付着されるように構成されているものである、前記フットプレートと、
前記フットプレート上に配置された収容装置であって、使用者の手の指の少なくとも一つが係合するように構成され、それにより、前記創傷部の周囲の皮膚に前記装置が片手で付着されるものである、前記収容装置と、
前記収容装置の内部に配置されたプランジャーであって、前記使用者の手の別の指が係合するように構成され、それにより、前記創傷部の周囲の皮膚に前記装置が片手で付着されるものであり、当該プランジャーは前記収容装置内を前記創傷部に向かって移動し、前記圧力を前記創傷部に加えるものである、前記プランジャーと、
前記収容装置と前記プランジャーとの間に配置された複数の移動制限要素であって、前記収容装置の内部に形成された少なくとも一つの第一ラチェット要素と、前記プランジャー上の少なくとも一つの第二ラチェット要素とを有し、前記プランジャーが前記収容装置内を移動するとき、当該少なくとも一つの第二ラチェット要素が当該少なくとも一つの第一ラチェット要素と係合して、前記プランジャーが前記患者の皮膚から離れる方向に移動することを制限するものである、前記移動制限要素と、
を有する装置。
【請求項９】
前記フットプレートは安定化手段をさらに備えたことを特徴とした請求項８に記載の装置。
【請求項１０】
前記安定化手段は前記フットプレートから離れる方向へ延設された一つ以上の湾曲突起部を備えたことを特徴とする請求項９に記載の装置。
【請求項１１】
前記プランジャー上の前記少なくとも一つの第二ラチェット要素は、プランジャー中央部周辺に配設された複数のウィングの上に配置されたことを特徴とする請求項８に記載の装置。
【請求項１２】
前記複数のウィングは、当該ウィングがプランジャー中央部に向けて移動されると、前記プランジャー上の前記少なくとも一の第二ラチェット要素が前記収容装置の内部に形成された前記少なくとも一の第一ラチェット要素から係合解除されるように構成されていることを特徴とする請求項１１に記載の装置。
【請求項１３】
前記複数の移動制限要素は、前記収容装置の内部に形成された複数のラックと、前記プランジャー上の複数のラックとを有し、前記プランジャーが前記収容装置内を移動するとき、前記プランジャー上の少なくとも一つのラックが前記収容装置の内部に形成された少なくとも一つのラックと係合して、前記プランジャーが前記患者の皮膚から離れる方向に移動することを制限することを特徴とする請求項８に記載の装置。
【請求項１４】
前記プランジャーは患者の皮膚を圧迫する圧迫パッドをさらに備えたことを特徴とする請求項８に記載の装置。
【請求項１５】
創傷部の止血を片手で補助する方法であって、
患者の創傷部の周囲の皮膚に、底面部と当該底面部に付着された一若しくはそれ以上の粘着性パッドとを有するフットプレートを使用者の片手の指で粘着固定するステップであって、
前記粘着性パッドは、その粘着強度が前記創傷部に対して加えられる圧力よりも高くなるようなサイズに設定されており、
前記フットプレートは、前記フットプレート上に配置された収容装置と、前記収容装置の内部に配置され、前記収容装置内を移動するように構成されたプランジャーと、前記収容装置と前記プランジャーとの間に配置された複数の移動制限要素とを有するものである、前記粘着固定するステップと、
前記プランジャーにより前記創傷部に対して圧力が加わるまで、前記使用者の片手の別の指を係合して前記プランジャーを前記収容装置内で前進させるステップと、
前記複数の移動制限要素を係合させて前記収容装置内における前記プランジャーの逆方向の移動を制限するステップであって、前記複数の移動制限要素は、前記収容装置の内部に形成された少なくとも一つの第一ラチェット要素と、前記プランジャー上の少なくとも一つの第二ラチェット要素とを有し、前記プランジャーが前記収容装置内を移動するとき、当該少なくとも一つの第二ラチェット要素が当該少なくとも一つの第一ラチェット要素と係合して、前記プランジャーが前記患者の皮膚から離れる方向に移動することを制限するものである、前記移動を制限するステップと
を有する方法。
【手続補正２】
【補正対象書類名】明細書
【補正対象項目名】０００５
【補正方法】変更
【補正の内容】
【０００５】
これら従来技術の装置及び方法はいずれも、医療技術者が患者に対して多くの手間をかけなければならない。例えば、不織物のスポンジの場合、医療技術者は止血が終わるまで創傷部を圧迫しなければならない。また、切り込み入り圧迫装置の場合、医療技術者は、創傷部の圧迫が適切に行われるよう、両手を使って患者の腕（又は足）や体へ装置を巻き付けなければならない。これら従来技術の装置は、医療技術者が、止血が終わる前に患者から離れることができるように、片手で装置を当てることができるものではない。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第７，７８０，６１２号明細書
（特許文献２）  米国特許第６，３１６，６８６明細書